(57)【要約】【課題】安全性の高いヘッドスライダ、および動作の信頼性が高い情報記憶装置を提供する。【解決手段】情報が記録される、移動する情報記録媒体にアクセスして少なくとも情報再生を行うヘッドを搭載した、情報記録媒体に近接するヘッドスライダであって、情報記録媒体に対向し、情報記録媒体の移動に伴って情報記録媒体からの浮上力を発生する浮上力発生部と、上記ヘッドが搭載された、浮上力発生部によって発生される浮上力で情報記録媒体から浮上する、浮上方向の厚みが、情報記録媒体の移動方向に沿う方向に異なっている基部とを備えたヘッドスライダを備えた。【選択図】        図４
2007018676.tif 000002
【特許請求の範囲】
【請求項１】
情報が記録される、移動する情報記録媒体にアクセスして少なくとも情報再生を行うヘッドを搭載した、該情報記録媒体に近接するヘッドスライダであって、
前記情報記録媒体に対向し、該情報記録媒体の移動に伴って該情報記録媒体からの浮上力を発生する浮上力発生部と、
前記ヘッドが搭載された、前記浮上力発生部によって発生される浮上力で前記情報記録媒体から浮上する、浮上方向の厚みが、該情報記録媒体の移動方向に沿う方向に異なっている基部と、
を備えたことを特徴とするヘッドスライダ。
【請求項２】
前記基部が、前記情報記録媒体の移動における上流側では下流側よりも前記厚みが薄いものであることを特徴とする請求項１記載のヘッドスライダ。
【請求項３】
情報が記録される、移動する情報記録媒体にアクセスして少なくとも情報再生を行うヘッドを搭載した、該情報記録媒体に近接するヘッドスライダであって、前記情報記録媒体の表面に対向し、該情報記録媒体の移動に伴って該情報記録媒体からの浮上力を発生する浮上力発生部、および、前記ヘッドが搭載された、前記浮上力発生部によって発生される浮上力で前記情報記録媒体から浮上する、浮上方向の厚みが、該情報記録媒体の移動方向に沿う方向に異なっている基部、を備えたヘッドスライダと、
前記情報記録媒体を保持して回転させることにより該情報記録媒体の前記移動を生じさせる媒体保持部と、
前記ヘッドスライダを保持し、該ヘッドスライダを前記情報記録媒体の移動方向と交わる方向に移動させるスライダ移動部と、
を備えたことを特徴とする情報記憶装置。
【請求項４】
前記スライダ移動部が、
前記情報記録媒体に沿って延びた、根本に回動軸を有するアームと、
前記アームを前記回動軸を中心として回動させるアクチュエータと、
前記アームから突き出て該アームの根本側に延びた、前記ヘッドスライダが付いた突出部とを備えたものであることを特徴とする請求項３記載の情報記憶装置。
【請求項５】
前記ヘッドスライダの基部が、前記ジンバルの先側では後側よりも前記厚みが薄いものであることを特徴とする請求項４記載の情報記憶装置。
【発明の詳細な説明】
【技術分野】
【０００１】
本発明は、情報記録媒体にアクセスするヘッドを搭載したヘッドスライダ、およびヘッドスライダが用いられた情報記憶装置に関する。
【背景技術】
【０００２】
従来より、磁気ディスク装置や光磁気記憶装置などといった情報記憶装置が知られており、このような情報記憶装置では、回転するディスク状の情報記録媒体に情報が記録される。また、このような情報記憶装置において、情報記録媒体にアクセスするヘッドを搭載して情報記録媒体の表面に近接浮上するヘッドスライダが知られている。
【０００３】
このヘッドスライダは、一般に、情報記録媒体の表面に対向して情報記録媒体の回転に伴う空気流で浮上力を発生する浮上力発生部と、その浮上力で浮上する基部とで構成されており、浮上力発生部の形状については、安定した浮上特性を得るための様々な工夫が提案されている（例えば、特許文献１、特許文献２、特許文献３、特許文献４、特許文献５、参照）。
【特許文献１】特開２０００−１７３２１５号公報
【特許文献２】特開２０００−２６０１４４号公報
【特許文献３】特開２００１−０１４８２３号公報
【特許文献４】特開２００１−１５５４５９号公報
【特許文献５】特開２００１−２９７４２１号公報
【発明の開示】
【発明が解決しようとする課題】
【０００４】
しかし、近年では、情報記録媒体の回転数は１５０００ｒｐｍを超す高回転となり、情報記録媒体の面振れ（ディスクフラッタ）にヘッドスライダが追従する際に、基部に当たる空気流によってヘッドスライダが煽られて、ヘッドスライダの周囲で接触が生じる恐れがある。
【０００５】
また、近年の磁気ディスク装置には、非アクセス時にヘッドスライダを、情報記録媒体の表面から離れた位置に待避させておくロード／アンロード機構を備えたものも存在し、そのようなロード／アンロード機構によって待避されているヘッドスライダが情報記録媒体の表面に復帰する際には、情報記録媒体の表面を傷つけることなく復帰することが必要である。しかし、復帰時におけるヘッドスライダの姿勢が悪いと空気流によってヘッドスライダが情報記録媒体の表面に接触してしまう恐れもある。
【０００６】
ヘッドスライダがこのような接触を生じる恐れがある情報記憶装置は動作の信頼性が低い。
【課題を解決するための手段】
【０００７】
本発明は、上記事情に鑑み、安全性の高いヘッドスライダ、および動作の信頼性が高い情報記憶装置を提供することを目的とする。
【０００８】
上記目的を達成する本発明のヘッドスライダは、
情報が記録される、移動する情報記録媒体にアクセスして少なくとも情報再生を行うヘッドを搭載した、情報記録媒体に近接するヘッドスライダであって、
情報記録媒体に対向し、情報記録媒体の移動に伴って情報記録媒体からの浮上力を発生する浮上力発生部と、
上記ヘッドが搭載された、浮上力発生部によって発生される浮上力で情報記録媒体から浮上する、浮上方向の厚みが、情報記録媒体の移動方向に沿う方向に異なっている基部と、
を備えたことを特徴とする。
【０００９】
本発明のヘッドスライダによれば、基部の厚みが移動方向に沿う方向に異なっているため、空気流に煽られて接触を生じやすい位置の厚みを薄くしておくことができて安全性が高い。
【００１０】
本発明のヘッドスライダは、上記基部が、情報記録媒体の移動における上流側では下流側よりも厚みが薄いものであることが好ましい。
【００１１】
ヘッドスライダの上流側が薄いことで空気流を巧く受け流して接触などを回避することができる。
【００１２】
上記目的を達成する本発明の情報記憶装置は、
情報が記録される、移動する情報記録媒体にアクセスして少なくとも情報再生を行うヘ
ッドを搭載した、情報記録媒体に近接するヘッドスライダであって、情報記録媒体の表面に対向し、情報記録媒体の移動に伴って情報記録媒体からの浮上力を発生する浮上力発生部、および、上記ヘッドが搭載された、浮上力発生部によって発生される浮上力で情報記録媒体から浮上する、浮上方向の厚みが、情報記録媒体の移動方向に沿う方向に異なっている基部、を備えたヘッドスライダと、
情報記録媒体を保持して回転させることにより情報記録媒体の上記移動を生じさせる媒体保持部と、
ヘッドスライダを保持し、ヘッドスライダを情報記録媒体の移動方向と交わる方向に移動させるスライダ移動部と、
を備えたことを特徴とする。
【００１３】
本発明の情報記憶装置によれば、ヘッドスライダの安全性が高いので、動作の信頼性が高い。
【００１４】
本発明の情報記憶装置の典型的な形態は、
「  上記スライダ移動部が、
情報記録媒体に沿って延びた、根本に回動軸を有するアームと、
アームを回動軸を中心として回動させるアクチュエータと、
アームから突き出てアームの根本側に延びた、ヘッドスライダが付いたジンバルとを備えたものである」
という形態であり、この典型な形態においては、上記ヘッドスライダの基部が、ジンバルの先側では後側よりも厚みが薄いものであることが好適である。
【００１５】
ジンバルの先側は空気流によって煽られやすいので、先側で基部の厚みが薄いとヘッドスライダの安全性が高く、動作の信頼性も高い。
【発明の効果】
【００１６】
以上説明したように、本発明によれば、安全性の高いヘッドスライダ、および動作の信頼性が高い情報記憶装置が得られる。
【発明を実施するための最良の形態】
【００１７】
以下図面を参照して本発明の実施の形態を説明する。
【００１８】
図１は、本発明の情報記憶装置の第１実施形態に相当する磁気ディスク装置の概略的平面図である。
【００１９】
この図１に示す磁気ディスク装置１００は、大型計算機、パーソナルコンピュータなどに接続され、あるいは内蔵されて使用されるものであり、ロード／アンロード機構を備えている。
【００２０】
この磁気ディスク装置１００には、本発明にいう情報記録媒体の一種である磁気ディスク１０２を回転駆動するためのスピンドルモータ１０３が、磁気ディスク装置１００の構成部品を支持するベースプレート１０４に装着されている。スピンドルモータ１０３は、本発明にいう媒体保持部の一例に相当する。
【００２１】
磁気ディスク１０２はスピンドルモータ１０３の回転軸に取り付けられており、スピンドルモータ１０３によって所定の回転速度で、この図で左回りに回転駆動される。一般的には磁気ディスク装置には、用途に応じて１枚から複数枚の磁気ディスクが備えられるが、この図１に示す磁気ディスク装置１００では、スピンドルモータ１０３の回転軸に２枚の磁気ディスク１０２が取り付けられている。図１には、スピンドルモータ１０３の回転軸に取付けられた１枚目の磁気ディスク１０２が示されており、この磁気ディスク１０２の下側（図の奥側）に間隔を置いて、図示しない２枚目の磁気ディスクが取り付けられている。
【００２２】
磁気ディスク１０２に対して情報記録再生を行う磁気ヘッドを搭載したヘッドスライダ１０５は、キャリッジアーム１０８の先に、後述するジンバルを介して取り付けられており、このヘッドスライダ１０５は、キャリッジアーム１０８によって支持されて磁気ディスク１０２の表面に近接される。磁気ディスク装置１００には、このキャリッジアーム１０８が、２枚の磁気ディスク１０２それぞれの表裏面合わせて４つの記録再生面に対応する形で４つ備えられており、それら４つのキャリッジアーム１０８は共通のアーム軸１０９に取り付けられており、アクチュエータ１１０によって回動される。ヘッドスライダ１０５は、本発明のヘッドスライダの一実施形態に相当し、キャリッジアーム１０８（および後述するジンバルの一部）は、本発明にいうアームの一例に相当し、アクチュエータ１１０は、本発明にいうアクチュエータの一例に相当する。また、キャリッジアーム１０８とアクチュエータ１１０と後述するジンバルとによって、本発明にいうスライダ移動部の一例が構成されている。
【００２３】
アクチュエータ１１０が４つのキャリッジアーム１０８を回動させることによってスライダ１０５は磁気ディスク１０２の表面に沿って移動する。また、このアクチュエータ１１０によるスライダ１０５の移動範囲は、磁気ディスク１０２から外れた待避位置に及んでおり、アクチュエータ１１０がスライダ１０５を待避位置に移動させるとキャリッジアーム１０８の先端がランプ１１２上を摺動し、スライダ１０５は磁気ディスク１０２表面から押し離される。
【００２４】
図２は、ヘッドスライダ１０５周辺の詳細図である。
【００２５】
この図２には、ヘッドスライダ１０５周辺を磁気ディスク側から見たときの様子が示されている。図１に示すキャリッジアーム１０８の先は、先細りのロードビーム１０６となっており、このロードビーム１０６にＳＡＳ板からなるジンバル１０７が溶接されている。ジンバル１０７には、ロードビーム１０６の先端側から根本側（即ちキャリッジアーム１０８の根本側）に向けて折り返すように突き出した舌部１０７ａが備えられており、この舌部１０７ａにヘッドスライダ１０５が取り付けられている。また、舌部１０７ａは、ロードビーム１０６に設けられた、後述するディンプルと点状に接触している。ヘッドスライダ１０５には、磁気ディスクにアクセスして情報の読み書きを行う磁気ヘッド１１３が搭載されており、この磁気ヘッド１１３には、書込信号および読出信号を伝達する配線１１４が接続されている。
【００２６】
ここで、舌部１０７ａが、本発明にいう突出部の一例に相当し、ジンバル１０７の舌部１０７ａを除く部分と、ロードビーム１０６を含むキャリッジアーム１０８が、本発明にいうアームの一例を構成している。
【００２７】
以下、ヘッドスライダ１０５周辺の更に詳細な説明をするに当たり、先ず、本発明の実施形態におけるヘッドスライダの形状とは異なる形状のヘッドスライダを有する比較例について説明し、その後で本発明の実施形態について説明する。
【００２８】
図３は、比較例を表す図である。
【００２９】
この図３には、ヘッドスライダ５をロードビーム６の横から見たときの様子が示されており、ヘッドスライダ５はジンバルの舌部７ａに取り付けられており、この舌部７ａは、ロードビーム６に設けられた半球状のディンプル６ａの頂点で支えられている。
【００３０】
ここに示すヘッドスライダ５は、磁気ディスク２に対向した浮上力発生部５ａと、舌部７ａに接着された基部５ｂとで構成されており、基部５ｂの側面の内、この図の左側の側面に磁気ヘッド（図示は省略）が付いている。
【００３１】
磁気ディスク２は、回転駆動によって表面が、この図の左側へと移動し、その表面の移動に伴う空気流は、図の右側からヘッドスライダ５の浮上力発生部５ａに流入する。浮上力発生部５ａは橇状の構造を有しており、流入する空気流との相互作用によって、磁気ディスク２表面からの浮上力を発生する。この浮上力の向きは、重力の向きとは無関係に、磁気ディスク２表面から乖離する向きとなっており、一般に、磁気ディスク２表面からヘッドスライダ５が空気流によって一定間隔を空けることは「浮上する」と称される。
【００３２】
磁気ディスク２は、回転駆動によってディスクフラッタを生じることが多いが、ヘッドスライダ５が取り付けられている舌部７ａは、ロードビーム６のディンプル６ａの頂点で支えられているのでヘッドスライダ５の向きには自由度があり、ディスクフラッタが生じてもヘッドスライダ５は磁気ディスク２表面の傾きに追従してロールすることができる。
【００３３】
この図３に示す比較例では、ヘッドスライダ５の基部５ｂの形状は単純な直方体となっており、磁気ヘッドを搭載するために必要な厚みを有し、浮上力発生部５ａによって発生される浮上力によって浮上する。この比較例では、ディンプル６ａからのヘッドスライダ５の高さはＨ０と高くて空気流から受ける力が大きく、大きなディスクフラッタの発生などに伴ってヘッドスライダ５が大きくロールすると、空気流に煽られて舌部７ａがロードビーム６に接触してしまうという事態が生じる恐れがある。また、この比較例では、ヘッドスライダ５の重心とロードビーム６の重心との距離はＧ０と遠いので、主共振周波数が低く、ヘッドスライダ５が何らかの原因でロールしたときには元の位置に復帰するのが遅くてオフトラックの原因となる恐れもある。
【００３４】
このような比較例に対し、本発明の実施形態では、ヘッドスライダの基部の形状に工夫がなされている。
【００３５】
図４は、第１実施形態におけるヘッドスライダの形状を表す図である。
【００３６】
この図４でも、ヘッドスライダ１０５をロードビーム１０６の横から見たときの様子が示されている。
【００３７】
ヘッドスライダ１０５は、磁気ディスクに対向して浮上力を発生する浮上力発生部１０５ａと、その浮上力発生部が発生する浮上力で浮上する基部１０５ｂとで構成されており、第１実施形態では、基部１０５ｂの厚み（この図４の上下方向の寸法）は、舌部１０７ａの先（即ち空気流の流入側）に向かうほど薄くなっている。このため、ヘッドスライダ１０５が空気流から受ける力が小さく、空気流によって煽られる量も小さい。
【００３８】
また、ヘッドスライダ１０５が取り付けられている舌部１０７ａは、ロードビーム１０６のディンプル１０６ａの頂点で支えられ、第１実施形態では、舌部１０７ａの先がロードビーム１０６から離れるように斜めに延びている。このため、ヘッドスライダ１０５が空気流によって多少煽られても、舌部１０７ａとロードビーム１０６とが接触する恐れは小さい。
【００３９】
さらに、ディンプル１０６ａからのヘッドスライダ１０５の高さＨ１は、磁気ヘッドを搭載するための厚みを流出端側で十分に確保しつつも、比較例における高さＨ０よりも低くなっている。このため、ヘッドスライダ１０５がロールしても、磁気ディスクに対する磁気ヘッドの移動量は比較例よりも小さく、オフトラックも小さい。
【００４０】
さらにまた、ヘッドスライダ１０５の重心とロードビーム１０６の重心との距離はＧ１と近くて主共振周波数が高いので、ヘッドスライダ１０５にブレが生じてもそのブレが治まるのが早い。この効果と、上述した、空気流によって煽られる量が小さいという効果とが相まって、例えばロード／アンロード機構によってヘッドスライダ１０５が待避位置から磁気ディスク上に復帰するときなどに多少のブレが生じても、ヘッドスライダ１０５が磁気ディスクに接触する恐れはない。
【００４１】
このように、図４に示すヘッドスライダ１０５は安全性が高く、そのため、図１に示す磁気ディスク装置１００は動作の信頼性が高い。
【００４２】
以下、本発明の他の実施形態について説明する。
【００４３】
以下説明する他の実施形態の磁気ディスク装置は、ヘッドスライダの形状が異なる以外は、上述した第１実施形態の磁気ディスク装置とほぼ同様な装置であるので、以下では重複説明を省略してヘッドスライダ周辺のみについて説明する。
【００４４】
図５は、第２実施形態におけるヘッドスライダの形状を表す図である。
【００４５】
この図５でも、ヘッドスライダ１１５をロードビーム１０６の横から見たときの様子が示されている。
【００４６】
第２実施形態でも、ヘッドスライダ１１５は浮上力発生部１１５ａと基部１１５ｂとで構成されており、基部１１５ｂの厚み（この図５の上下方向の寸法）は、舌部１０７ｂの先（即ち空気流の流入側）に向かうほど薄くなっている。このため、ヘッドスライダ１１５が空気流から受ける力が小さく、空気流によって煽られる量も小さい。
【００４７】
また、この第２実施形態では、ヘッドスライダ１１５が取り付けられている舌部１０７ｂはロードビーム１０６と平行に延びている。このため、ヘッドスライダ１１５の浮上力発生部１１５ａは、図の右側（即ち空気流入側で舌部１０７ｂの先側）が磁気ディスクから離れるように、図で右上がりに傾いている。このため、ロード／アンロード機構によってヘッドスライダ１１５が待避位置から磁気ディスク上に復帰するときに大きめのブレが生じても、ヘッドスライダ１１５が磁気ディスクに向かって煽られることがなく、ヘッドスライダ１１５は、磁気ディスクを傷つけることなく安全に復帰することができる。
【００４８】
このように、図５に示すヘッドスライダ１１５は安全性が高く、そのため、第２実施形態の磁気ディスク装置も動作の信頼性が高い。
【００４９】
図６は、第３実施形態におけるヘッドスライダの形状を表す図である。
【００５０】
この図６でも、ヘッドスライダ１１６をロードビーム１０６の横から見たときの様子が示されている。
【００５１】
この第３実施形態におけるヘッドスライダ１１６も、浮上力発生部１１６ａと基部１１６ｂとで構成されており、第３実施形態では、基部１１６ｂの厚み（この図６の上下方向の寸法）は、両端で薄く中央で厚い。また、ヘッドスライダ１１６が取り付けられている舌部１０７ｃは、ヘッドスライダ１１６の浮上力発生部１１６ａが磁気ディスク表面と平行になるような形状となっている。
【００５２】
このような構造の場合も、ヘッドスライダ１１６の空気流入側（図の右側）の端が薄いのでヘッドスライダ１１６が空気流から受ける力が小さく、空気流によって煽られる量も小さい。このため、この第３実施形態におけるヘッドスライダ１１６も安全性が高く、第３実施形態の磁気ディスク装置も動作の信頼性が高い。
【００５３】
以上で、本発明の各実施形態の説明を終了する。
【００５４】
なお、上記説明では、本発明の実施形態として、磁気で情報が読み書きされる磁気ディスク装置が示されているが、本発明は、本発明にいう情報記憶媒体としてＭＯディスクやＤＶＤを用いる情報記憶装置に応用することもできる。このように応用される場合は、光学ヘッドなどがヘッドスライダ上に搭載されることとなる。
【図面の簡単な説明】
【００５５】
【図１】本発明の情報記憶装置の第１実施形態に相当する磁気ディスク装置の概略的平面図である。
【図２】ヘッドスライダ周辺の詳細図である。
【図３】比較例を表す図である。
【図４】第１実施形態におけるヘッドスライダの形状を表す図である。
【図５】第２実施形態におけるヘッドスライダの形状を表す図である。
【図６】第３実施形態におけるヘッドスライダの形状を表す図である。
【符号の説明】
【００５６】
１００    磁気ディスク装置
２，１０２    磁気ディスク
１０３    スピンドルモータ
１０４    ベースプレート
５，１０５，１１５，１１６    ヘッドスライダ
５ａ，１０５ａ，１１５ａ，１１６ａ    浮上力発生部
５ｂ，１０５ｂ，１１５ｂ，１１６ｂ    基部
６，１０６    ロードビーム
６ａ    ディンプル
１０７    ジンバル
７ａ，１０７ａ，１０７ｂ，１０７ｃ    舌部
１０８    キャリッジアーム
１０９    アーム軸
１１０    アクチュエータ
１１３    磁気ヘッド
【図１】
2007018676.tif 000003
【図２】
2007018676.tif 000004
【図３】
2007018676.tif 000005
【図４】
2007018676.tif 000006
【図５】
2007018676.tif 000007
【図６】
2007018676.tif 000008